(57)【特許請求の範囲】
【請求項１】
両端部にノッチ部材を備えたログであって、
当該ログの長手方向をログ長手方向、当該ログの長手方向及び上下方向に垂直な方向をログ幅方向として、
前記ノッチ部材が、上向きの溝部を有する上部ノッチ部材と、下向きの溝部を有する下部ノッチ部材と、上部ノッチ部材と下部ノッチ部材との間の連結部とを備え、
前記上部ノッチ部材が、その中央部に、前記ログ長手方向に延びる凸部を有し、
前記下部ノッチ部材の溝部が、その中央部に、前記ログ幅方向に延びる凹部であって、前記ログ長手方向の長さが、前記上部ノッチ部材の凸部の前記ログ幅方向の長さと等しく、その深さが前記上部ノッチ部材の凸部の高さと等しいような凹部を有し、
前記上部ノッチ部材の前記溝部の前記ログ長手方向の長さは、当該ログの前記ログ幅方向の長さより小さく、
当該ログの前記上部ノッチ部材の下方の、当該上部ノッチ部材の下方部分を含む、前記ログ長手方向の長さが当該ログの前記ログ幅方向の長さと等しい範囲は、前記ログ幅方向の長さを当該ログの前記ログ幅方向の長さよりも小さくした幅狭部分として形成されており、
前記連結部および前記下部ノッチ部材は、前記幅狭部内に、形成されていることを特徴とするログ。
【請求項２】
前記下部ノッチ部材の溝部が、前記ログ幅方向に、前記凹部の両側に延びる段部であって、その前記ログ長手方向の長さが、前記凸部の両側の溝部の前記ログ幅方向の長さと等しい段部とを有することを特徴とする請求項１に記載のログ。
【請求項３】
請求項１ないし２の何れか一項に記載のログを利用し、下方に配置されたログの上側ノッチ部材と、前記ログの上側に、当該ログと交差するように配置された他のログの下側ノッチ部材とを、順次嵌合させることにより形成されることを特徴とするログの壁構造。
【発明の詳細な説明】
【技術分野】
【０００１】
本発明は、ログハウス用のログ、および、当該ログを用いた壁構造に関する。
【背景技術】
【０００２】
ログハウスは、断面形状が矩形あるいは方形の角ログ（スクエアログ）、断面形状が円形の丸ログ（ラウンドログ）などの両端部付近の上下を切り欠いて、ノッチを形成し、下方に配置されたログの上部ノッチ部材に、当該ログに交差させ、かつ、当該ログの上部ノッチ部材に、下部ノッチ部材を嵌め合わせるように、他のログを配置する。これを繰り返すことにより、ログハウスの壁を形成することができる。【０００３】
たとえば、特許文献１には、スクエアログの対向する頂点が垂直方向上下を向くようにしたログハウスの壁構造が開示されている。【０００４】
ノッチとして、ラウンドノッチ、サドルノッチ、ウェッジノッチ、スクエアノッチなどが知られている。たとえば、ラウンジノッチは、丸ログについて使われることが多く、上側のログの形状に合致するように、下側に配置するログの端部を刻む。ウェッジノッチは、ログを斜めに削り取りスカーフを形成し、ログの交差部が平らになるようになっている。【０００５】
また、スクエアノッチは、ログの両端部付近の上下を、所定の割合だけ削って、上部ノッチ部材および下部ノッチ部材を形成する。たとえば、上部ノッチ部材、および、下部ノッチ部材として、それぞれ、ログの高さの１／４だけ材料を削ることで、上部ノッチ部材と下部ノッチ部材との間にログの高さの１／２の高さを有する、長手方向に延びる連結部が形成される。
【特許文献１】特開２００３−１１９９３０号公報
【特許文献２】特開２００４−１２４４３８号公報
【発明の開示】
【発明が解決しようとする課題】
【０００６】
材料を削るのにしたがって、下側のログの上部ノッチ部材と、上側のログの下部ノッチ部材との接触面を大きくすることでき、しっかりとログを嵌め合わせることができる。その一方、材料を削るのにしたがって、上部ノッチ部材と下部ノッチ部材との間の連結部が小さくなるため、当該連結部の強度が小さくなり、大きな力が加わることにより、その部分が破断する恐れが大きくなる。連結部を大きくとるために、ノッチ部材の切欠きが小さいと（つまり、材料を削り込みが不足だと）、上下のログの嵌め合わせが弱く、かつ、隙間が形成されやすい。隙間があると、そこから雨などがしみこむ可能性もあり、材料を腐敗させる可能性もある。【０００７】
たとえば、特許文献２には、ノッチ部にほぼ円筒形のインサート部材を挿入することで、隙間の少ないログハウスの壁を形成する技術が開示されている。しかしながら、この技術によると、プレートやインサートなどログ以外に多数の部品が必要となるという問題点がある。【０００８】
本発明は、ログ以外の部品を必要とせず、交差するログの上部ノッチ部材と下部ノッチ部材との間の接触面を大きくとって、交差するログをしっかりと嵌め合わせ、かつ、連結部にも十分な強度を確保したログおよび当該ログを用いたログハウスの壁構造を提供することを目的とする。
【課題を解決するための手段】
【０００９】
本発明の目的は、両端部にノッチ部材を備えたログであって、前記ノッチ部材が、上向きの溝部を有する上部ノッチ部材と、下向きの溝部を有する下部ノッチ部材と、上部ノッチ部材と下部ノッチ部材との間の連結部とを備え、前記上部ノッチ部材が、その中央部に、長手方向に延びる凸部を有し、前記下部ノッチ部材の溝部が、少なくとも前記凸部と整合する長手方向の長さを有することを特徴とするログにより達成される。【００１０】
本実施の形態によれば、下側に配置されたログの上部ノッチ部材の凸部と、上側に交差するように配置された他のログの下側ノッチ部材の溝部とが嵌合することにより、より接触面を大きく確保することが可能となる。また、上部ノッチ部材に凸部を形成することにより、上部ノッチ部材と下部ノッチ部材との間の連結部の体積を十分に取ることができ、その結果、連結部の強度を増すことが可能となる。【００１１】
好ましい実施態様においては、前記上部ノッチ部材の平坦な上面が第１の接触面を形成するとともに、両側面が第２の接触面を形成し、前記凸部の両側の溝部が第３の接触面を形成し、かつ、第１のノッチ部材の長手方向に垂直方向の２つの壁面が、第４の接触面を形成し、前記下部ノッチ部材の溝部の上面が、下側に交差して配置された他のログの上部ノッチ部材の前記第１の接触面と接触し、前記溝部の長手方向に垂直方向の２つの壁面が、それぞれ、第２の接触面と接触し、前記下部ノッチ部材の長手方向両端から延びるログの面が、それぞれ、前記第３の接触面と接触し、かつ、前記下部ノッチ部材の連結部の面が、ぞれぞれ、前記第４の接触面と接触する。【００１２】
より好ましい実施態様においては、さらに、前記下部ノッチ部材が、その中央部に、長手方向に延びる凹部であって、その長手方向の長さが、前記上部ノッチ部材の凸部の長手方向に垂直方向の長さと等しいような凹部を有する。この実施態様によれば、下側に配置されたログの上部ノッチ部材の凸部と、上側に交差するように配置された他のログの下部ノッチ部材の凹部とが嵌合する。さらに、下部ノッチ部材の凹部の両側に設けられた段部の面と、上部ノッチ部材の凸部の両側に設けられた溝部の面とが接触する。さらに、段部の両側の垂直な面と、連結部における上部ノッチ部材付近の面とが接触する。これにより、下側に配置されたログの上部ノッチ部材の外側に、上側に配置されたログが部分的に覆いかぶさる状態となり、上部ノッチ部材が外部に露出することを防止でき、雨などの進入を防止することが可能となる。【００１３】
また、好ましい実施態様においては、前記下部ノッチ部材が、前記長手方向に垂直方向に、前記凹部の両側に延びる段部であって、その長手方向の長さが、前記凸部の両側の溝部の長手方向に垂直方向の長さと等しい段部を有する。【００１４】
より好ましくは、前記下部ノッチ部材の段部から延びる側壁が、上側に交差して配置されたログの連結部の上部と接触する。【００１５】
より好ましい実施態様においては、さらに、前記連結部の下側であって、かつ、下部ノッチ部材の上部において、前記ログの、長手方向に垂直方向の長さが小さくなるような幅狭部を形成している。  また、本発明の目的は、上述したログを利用し、下方に配置されたログの上側ノッチ部材と、前記ログの上側に、当該ログと交差するように配置された他のログの下側ノッチ部材とを、順次嵌合させることにより形成されることを特徴とするログの壁構造によっても達成される。
【発明の効果】
【００１６】
本発明によれば、ログ以外の部品を必要とせず、交差するログの上部ノッチ部材と下部ノッチ部材との間の接触面を大きくとって、交差するログをしっかりと嵌め合わせ、かつ、連結部にも十分な強度を確保したログおよび当該ログを用いたログハウスの壁構造を提供することが可能となる。
【発明を実施するための最良の形態】
【００１７】
以下、添付図面を参照して、本発明の実施の形態について説明する。図１は、本発明の第１の実施の形態にかかるログハウスの壁を構成するログの端部を示す斜視図である。図１に示すように、ログ１０は、その両端部に、ノッチ部材１２が形成されている。ノッチ部材１２は、ログ１０の上部に形成される上部ノッチ部材１４と、下部に形成される下部ノッチ部材１５とから構成される。【００１８】
図２は、本実施の形態にかかるログの端部の平面図、図３は、ログの端部の正面図、図４は、ログの端部の底面図である。図５は、図３のＡ−Ａ線断面図である。図１ないし図３、および、図５に示すように、上部ノッチ部材１４は、ログ１０の長手方向に垂直方向に形成された溝部１６を有する。溝部１６には長手方向中央に凸部１８が形成される。凸部１８の上部には平坦な第１の接触面２０が形成される。凸部１８の両側面は第２の接触面２２、２２を形成する。凸部１８の両側には長手方向に延びる第３の接触面２４、２４が形成されている。【００１９】
本実施の形態において、ログ１０の上部ノッチ部材１４の長手方向に垂直な方向の長さ（幅）を「ａ」とする。また、凸部１８の第１の接触面２０の同方向の幅を「ｂ」、第３の接触面２２のそれぞれの同方向の幅を「ｃ」とする。ここでは、「ａ＝ｂ＋２ｃ」となる。また、凸部１８の高さを「ｄ」とする。また、便宜上、凸部１８の上面からログ１０の上面までの距離を「ｅ」とする。なお、ここでの長さは、厳密なものではなく、木材の変形を考慮して数ｍｍ程度は、適宜変更可能なものである。特に、垂直方向において、上部ノッチ部材の凸部２０の高さ（ここでは「ｂ」）を、凹部３４の高さよりも、若干（たとえば、３ｍｍ程度）小さくしても良い。【００２０】
さらに、上部ノッチ部材１４において、溝部１６の長手方向両端は垂直の壁が形成され、これが第４の接触面２６、２６を形成する。【００２１】
次に、下部ノッチ部材１５について説明する。図１、および、図３ないし図５に示すように、下部ノッチ部材１５も、ログ１０の長手方向に垂直方向に形成された溝部３０を有する。溝部３０の両端は、上記垂直方向に延びる細長い段部３２、３２が形成され、かつ、中央部に凹部３４が形成される。段部３２の面は、第５の接触面を形成する。以下、第５の接触面も必要に応じて符号３２にて表わす。また、凹部３４の上部には、平坦な第６の接触面３６が形成され、かつ、凹部３４の、長手方向に垂直方向の側壁は、第７の接触面３８が形成される。【００２２】
さらに、段部３２からログ１０の下面に延びる側壁４０、４０は、第８の接触面を形成する。以下、第８の接触面も必要に応じて符号４０にて表わす。【００２３】
図３に示すように、第１のノッチ部材１４と第２のノッチ部材１５との間には、長手方向に延びる連結部４２が設けられる。連結部の表面は、第９の接触面４４を形成する。【００２４】
凹部３４の第６の接触面３６の長手方向の長さは「ｂ」、段部（第５の接触面）３２の長手方向の長さは「ｃ」である。また、凹部３４の側壁（第７の接触面）の高さは「ｄ」、段部３２から延びる側壁（第８の接触面）４０の高さは「ｆ」である。【００２５】
本実施の形態においてログの幅「ａ」は１２０ｍｍ、ログの高さ「ｈ」（図３参照）は１８０ｍｍ、「ｂ」〜「ｆ」の寸法は、それぞれ、１００ｍｍ、１０ｍｍ、４０ｍｍ、４０ｍｍ、４０ｍｍ、１０ｍｍである。【００２６】
このように構成されたログ１０を順次交差するように組み上げた場合の構造について説明する。図６は、複数のログ１０が組み上げられた状態の部分を示す側面図、図７は、その斜視図である。図６および図７に示すように、本実施の形態では、ある方向に配置されたログ１０の上部ノッチ部材１４と、当該ログ１０の上に、これと直行する方向に配置されたログ１０の下部ノッチ部材１５とが嵌合することにより、ログ同士がしっかりと固定される。【００２７】
より詳細には、
下側に配置されたログの上部ノッチ部材１４の第１の接触面２０、および、上記ログと交差するように家側に配置されたログの下部ノッチ部材１５の第６の接触面３６、
下側のログの上部ノッチ部材１４の第２の接触面２２、および、上側のログの下部ノッチ部材１５の第７の接触面３８、
下側のログの上部ノッチ部材１４の第３の接触面２４、および、上側のログの下部ノッチ部材１５の第５の接触面３２、
下側のログの上部ノッチ部材１４の第４の接触面２６、および、上側のログの下部ノッチ部材１５の連結部４２の第９の接触面４４、並びに、
下側のログの第９の接触面４４の上部、および、上側のログの下部ノッチ部材１５の第８の接触面４０
が、それぞれほぼ接触する。【００２８】
特に、第１の実施の形態においては、第８の接触面４０が、下側に配置されたログの連結部４４の上部(第９の接触面４４)に接触することができる。つまり、下側に配置されたログの上部ノッチ部材１４の外側に、上側に配置されたログが部分的に覆いかぶさる状態となり、上部ノッチ部材１４が外部に露出することを防止できる。これにより、雨などの進入をより確実に防止することが可能となる。【００２９】
このように、第１の実施の形態においては、種々の接触面同士が接触している。接触面の面積は、通常のスクエアカットよりも大きくすることができる。たとえば、第１の実施の形態と同様の寸法をもつログに、対応するサイズのスクエアカットを施す場合を考える。【００３０】
図８に示すように、従来のスクエアカットの場合には、上部ノッチ部材における接触面の大きさは以下の式で表わすことができる。【００３１】
ａ２＋２ａ（ｅ＋ｄ）        ・・・（１）
ａ＝ｂ＋２ｃであるため、（１）は、以下のように表わすことができる。【００３２】
ｂ２＋４ｂｃ＋４ｃ２＋２ｂｅ＋４ｃｅ＋２ｂｄ＋４ｃｄ      ・・・（２）
その一方、本実施の形態にかかる上部ノッチ部材１４の接触面の大きさは、以下の式で表わすことができる。【００３３】
２ａｃ＋２（ｃｄ＋ａｅ）＋２ａｄ＋２ａｂ
＝ｂ２＋４ｂｃ＋４ｃ２＋２ｂｅ＋４ｃｅ＋２ｂｄ＋８ｃｄ      ・・・（３）
したがって、上部ノッチ部材１４に関して、従来のスクエアカットと比較して、４ｃｄだけ、接触面を大きくすることができる。また、接触面を大きくできるだけではなく、接触面の数が大きくなることで、種々の接触面同士が接触することにより、交差するログを、よりしっかりと固定させることができる。【００３４】
また、従来のスクエアカットの場合には、下部ノッチ部材における接触面の大きさは以下のようになる。【００３５】
ａ２＋２ａ（ｄ＋ｆ）
＝ｂ２＋４ｂｃ＋４ｃ２＋２ｂｄ＋２ｂｆ＋４ｃｄ＋４ｃｆ    ・・・（４）
その一方、本実施の形態にかかる下部ノッチ部材１５の接触面の大きさは、以下のようになる。【００３６】
ａｂ＋２ａ（ｄ＋ｃ＋ｆ）
＝ｂ２＋４ｂｃ＋４ｃ２＋２ｂｄ＋２ｂｆ＋４ｃｄ＋４ｃｆ    ・・・（５）
したがって、第２の実施の形態にかかる下部ノッチ部材１５について、従来のスクエアカットと同等の接触面を確保することができる。【００３７】
さらに、第１の実施の形態によれば、上部ノッチ部材１４において、凸部１８を設けておくことにより、従来のスクエアカットと比較して、上部ノッチ部材によりログが切り取られる体積を、ｂ２ｄ＋２ｂｃｄだけ小さくすることができる。【００３８】
たとえば、前述したように、ログの幅「ａ」を１２０ｍｍ、ログの高さ「ｈ」を１８０ｍｍ、「ｂ」〜「ｆ」の寸法を、それぞれ、１００ｍｍ、１０ｍｍ、４０ｍｍ、４０ｍｍ、４０ｍｍ、１０ｍｍとする。この場合、従来では、上部ノッチ部材の接触面の面積は３３６００ｍｍ２であるが、本実施の形態によれば、上部ノッチ部材１４の接触面の面積は、３５２００ｍｍ２となる。【００３９】
また、従来のスクエアカットを施した場合には、上部ノッチ部材を形成するために、１２０ｍｍ×１２０ｍｍ×８０ｍｍ＝１１５２０００ｍｍ３だけ木材が切り取られる。これに対して、本実施の形態によれば、上部ノッチ部材１４を形成するために、６７２０００ｍｍ３の木材を切り取れば足りる。つまり、上部ノッチ部材を形成するために切り取るべき木材の量を、５８．３％にすることができる。【００４０】
同様に、従来のスクエアカットを施した場合には、下部ノッチ部材を形成するために、１２０ｍｍ×１２０ｍｍ×５０ｍｍ＝７２００００ｍｍ３だけ木材を切り取る必要がある。これに対して、本実施の形態によれば、６２４０００ｍｍ３だけ木材を切り取れば良い。すなわち、下部ノッチ部材を形成すべき木材の量を、８６．７％にすることができる。【００４１】
ノッチが形成される部分全体を見ると、従来のスクエアカットでは、ノッチ形成のために、１８７２０００ｍｍｍ３／２５９２０００ｍｍ３≒７２％もの木材が切り取られる。これに対して、第１の実施の形態によれば、ノッチ形成のために、１２９６０００ｍｍ３／２５９２０００ｍｍ３＝５０％の木材を切り取れば足りる。したがって、ノッチ部材におけるログの強度を従来のものと較べて著しく大きくすることができる。特に、本実施の形態では、上部ノッチ部材においては、凸部１８は、上部ノッチ部材１４におけるログの補強部としての機能を有する。ノッチを形成することに、その部分では上下方向に過度の力が加わると破断の恐れがある。しかしながら、凸部１８がログ１０の長手方向に延びることにより、ノッチ形成部分の強度を十分に強くすることができる。さらに、下側に位置するログの上部ノッチ部材１４の凸部１８は、上側に位置するログの下部ノッチ部材１５の凹部３４と嵌合する。【００４２】
このように本実施の形態によれば、上部ノッチ部材１４に、長手方向に延びる凸部を形成することで、当該ログの上側に交差するように配置されるログの下部ノッチ部材との間の接触面の数および面積を確保しつつ、木材の切り取られる体積を著しく小さくすることが可能となる。【００４３】
また、ログ１０の下部ノッチ部材１５においても凹部３４を形成し、凹部３４と、交差するように下側に配置されたログの上側ノッチ部材１４の凸部１８とが嵌合し、かつ、段部３２のそれぞれの側部に延びる第８の接触面４０が、下側に配置されたログの連結部４４の上部(第９の接触面４４)に接触することができる。したがって、下側に配置されたログの上部ノッチ部材１４の外側に、上側に配置されたログが部分的に覆いかぶさる状態となり、上部ノッチ部材１４が外部に露出することを防止でき、雨などの進入を防止することが可能となる。【００４４】
次に、本発明の第２の実施の形態について説明する。第１の実施の形態では、下部ノッチ部材１５の溝部３０のほぼ中央に、ログの長手方向に垂直に延びる凹部３４を設けたが、第２の形態においては、ログの長手方向に垂直に延びる溝部のみが形成される。【００４５】
図９は、第２の実施の形態にかかるログハウスの壁を構成するログの端部を示す斜視図である。なお、第２の実施の形態において、第１の実施の形態と同一の部材には同一の符号を付す。図９に示すように、ログ１００の両端部には、ノッチ１１２が形成されている。ノッチ部材１１２は、上部ノッチ部材１４と下部ノッチ部材１１６とから構成される。上部ノッチ部材１４は、第１の実施の形態と同様である。【００４６】
図１０は、第２の実施の形態にかかるログの端部の平面図、図１１は、ログの端部の正面図、図１２は、ログの端部の底面図である。図１３は、図１２のＢ−Ｂ線断面図である。【００４７】
第２の実施の形態においては、下部ノッチ部材１１６は、溝部１３０を有する。溝部１３０の長手方向の幅は、上部ノッチ部材１４の長手方向に垂直方向の長さと一致する。また、溝部１３０の垂直方向の高さ（深さ）は、上部ノッチ部材１４の凸部の垂直方向の高さとほぼ一致する。したがって、ログを交差させて配置した場合に、
下側に配置されたログの上部ノッチ部材１４の第１の接触面２０、および、上側のログの下部ノッチ部材１１５の溝部１３０の上面１３６、
下側のログの上部ノッチ部材１４の両側面（第２の接触面）２２、および、上側のログの下部ノッチ部材１１５の溝部の両側面１３８、並びに、
下側のログの上部ノッチ部材１４の凸部１８の両側に伸びる第３の接触面２４、および、上側のログの下部ノッチ部材１４の両端から、長手方向に垂直方向に延びるログの下端面の一部１４０
がそれぞれほぼ接触する。【００４８】
このように、第２の実施の形態においては、下部ノッチ部材の形状は、第１の形態と比較して単純であり、第１の実施の形態のように、上側に配置されたログの下部ノッチ部材により、下側に配置されたログが覆いかぶさる状態にはならない。しかしながら、下部ノッチ部材１１５を形成するための木材の切り取り（削り取り）を小さくすることができ、上部ノッチ部材１４と下部ノッチ部材１１５との間の連結部４２をより大きく確保することが可能となる。【００４９】
次に、本発明の第３の実施の形態について説明する。第３の実施の形態は、基本的には第１の実施の形態のノッチ部材１２と同様の構成を備えている。したがって、第１の実施の形態にかかる上部ノッチ部材１４や下部ノッチ部材１５と同様の部材については同一の符号を付す。図１４は、本発明の第３の実施の形態にかかるログの端部を示す斜視図である。図１４に示すように、第３の実施の形態においては、下部ノッチ部材１５の上部に位置する連結部４２の部分、つまり、連結部においては下側の部分（図１４の符号１５０参照：以下、「幅狭部１５０」と称する）が、第１の実施例と比較して、削られ、所定量だけ薄くなっている。【００５０】
図１５は、第３の実施の形態にかかるログの端部の平面図、図１６は、ログの端部の正面図、図１７は、ログの端部の底面図、図１８は、図１６のＡ−Ａ線断面図である。図１５ないし図１８に示すように、第３の実施の形態においては、上記幅狭部１５０は、ログ１０両側から、「ｋ（第３の実施の形態では略５ｍｍ）」だけ削られている。したがって、幅狭部１５０のログ１０の長手方向に垂直な長さ（つまり幅）は、「ａ−２ｋ」となる。また、特に、図１６および図１７から理解できるように、幅狭部１５０の長手方向の長さは「ｂ＋２ｃ＋２ｋ」となる。【００５１】
このように、幅狭部１５０を形成することにより、第１の実施の形態にかかる上部ノッチ部材１２および下部ノッチ部材１５との係合に加えて、さらに接触面を増大させることができ、よりしっかりと、ログ同士を固定することが可能となる。【００５２】
第３の実施の形態によれば、接触面をより増大させることができるため、ログの幅を小さくしても、十分に強度を保ちつつログ同士をしっかりと固定することが可能である。【００５３】
本発明は、以上の実施の形態に限定されることなく、特許請求の範囲に記載された発明の範囲内で、種々の変更が可能であり、それらも本発明の範囲内に包含されるものであることは言うまでもない。【００５４】
たとえば、前記実施の形態においては、いわゆるスクエアログにノッチ部材を形成しているが、本発明にかかるノッチ部材は、スクエアログに限らず、他の形状のログ（たとえば、ラウンドログ、Ｄ型ログ、太鼓挽きログ）などに適用することが可能である。【００５５】
また、上部ノッチ部材の凸部の高さ、幅、下部ノッチ部材の凹部の高さ、幅なども上記実施の形態のものに限定されないことはいうまでもない。
【図面の簡単な説明】
【００５６】
【図１】図１は、本実施の形態にかかるログハウスの壁を構成するログの端部を示す斜視図である。
【図２】図２は、本実施の形態にかかるログの端部の平面図である。
【図３】図３は、本実施の形態にかかるログの端部の正面図である。
【図４】図４は、本実施の形態にかかるログの端部の底面図である。
【図５】図５は、図３のＡ−Ａ線断面図である。
【図６】図６は、複数の本実施の形態にかかるログが組み上げられた状態の部分を示す側面図である。
【図７】図７は、複数の本実施の形態にかかるログが組み上げられた状態の部分を示す斜視図である
【図８】図８は、従来のスクエアカットのログのノッチ部材を示す斜視図である。
【図９】図９は、第２の実施の形態にかかるログハウスの壁を構成するログの端部を示す斜視図である。
【図１０】図１０は、第２の実施の形態にかかるログの端部の平面図である。
【図１１】図１１は、第２の実施の形態にかかるログの端部の正面図である。
【図１２】図１２は、第２の実施の形態にかかるログの端部の底面図である。
【図１３】図１３は、図１２のＢ−Ｂ線断面図である。
【図１４】図１４は、第３の実施の形態にかかるログハウスの壁を構成するログの端部を示す斜視図である。
【図１５】図１５は、第３の実施の形態にかかるログの端部の平面図である。
【図１６】図１６は、第３の実施の形態にかかるログの端部の正面図である。
【図１７】図１７は、第３の実施の形態にかかるログの端部の底面図である。
【図１８】図１８は、図１６のＡ−Ａ線断面図である。
【符号の説明】
【００５７】
１０    ログ
１２    ノッチ部材
１４    上部ノッチ部材
１５    下部ノッチ部材
１６    溝部
１８    凸部
３０    溝部
３２    段部
３４    凹部
４２    連結部
【図１】
0004783368.tif 000002
【図２】
0004783368.tif 000003
【図３】
0004783368.tif 000004
【図４】
0004783368.tif 000005
【図５】
0004783368.tif 000006
【図６】
0004783368.tif 000007
【図７】
0004783368.tif 000008
【図８】
0004783368.tif 000009
【図９】
0004783368.tif 000010
【図１０】
0004783368.tif 000011
【図１１】
0004783368.tif 000012
【図１２】
0004783368.tif 000013
【図１３】
0004783368.tif 000014
【図１４】
0004783368.tif 000015
【図１５】
0004783368.tif 000016
【図１６】
0004783368.tif 000017
【図１７】
0004783368.tif 000018
【図１８】
0004783368.tif 000019